【誤訳訂正書】
【提出日】平成23年9月28日(2011.9.28)
【誤訳訂正１】
【訂正対象書類名】特許請求の範囲
【訂正対象項目名】全文
【訂正方法】変更
【訂正の内容】
【特許請求の範囲】
【請求項１】
下記を具備する装置：
遠隔ステーションからＡＣＫ／ＮＡＣＫ（肯定応答／否定応答）情報を含むチャネル情報を受信する受信機、
各スロットが２つの半スロットにセグメント化され、少なくとも１つの半スロットがパケットの１つのデータ単位を含む、少なくとも１つのスロットを備える出力波形を生成し、
前記ＡＣＫ／ＮＡＣＫ情報を解釈し、前記データ単位が前記遠隔ステーションに再送されるべきか否かを判定するように構成されている少なくとも１つのプロセッサ、
前記少なくとも１つのプロセッサに結合されているメモリ、
前記出力波形を送信するように構成されている送信機。
【請求項２】
前記出力波形が、少なくとも１つの付加的なスロットをさらに備え、前記少なくとも１つの付加的なスロットが、前記パケットからでありフルスロットとして構成されている、別のパケットからであり半スロットとして構成されている、および別のパケットからでありフルスロットとして構成されている、からなる群より選択される別のデータ単位を含む、請求項１に記載の装置。
【請求項３】
前記出力波形が、半スロットの８つのインタリーブ、フルスロットの４つのインタリーブ、またはそれらの組み合わせとしてさらに構成されている、請求項１に記載の装置。
【請求項４】
前記チャネル情報が、データ転送速度制御情報をさらに備え、
前記少なくとも１つのプロセッサが、前記データ転送速度制御情報に応じて前記データ単位に関して第１の変調を選択するようにさらに構成されている、請求項１に記載の装置。
【請求項５】
前記少なくとも１つのプロセッサが、前記データ単位に関するペイロードサイズに相関がある変調を用いて前記出力波形を生成するようにさらに構成されている、請求項１に記載の装置。
【請求項６】
前記少なくとも１つのプロセッサは、前記ＡＣＫ／ＮＡＣＫ情報が前記データ単位が再送されるべきであることを示す場合、前記データ単位の異なる変調を用いて新規の出力波形を生成するようにさらに構成されており、
前記送信機が、前記新規の出力波形を送信するようにさらに構成されている、請求項１に記載の装置。
【請求項７】
前記新規の出力波形の前記異なる変調が、前記出力波形の変調より下回るデータ転送速度になるように選択される、請求項６に記載の装置。
【請求項８】
前記異なる変調が、４位相偏移変調、８位相偏移変調、１６直交振幅変調および６４直交振幅変調からなる群より選択される、請求項６に記載の装置。
【請求項９】
前記チャネル情報が、チャネル品質インジケータをさらに備え、
前記少なくとも１つのプロセッサが、
前記チャネル品質インジケータを解釈し、
前記解釈されたチャネル品質インジケータに応じて後の複数のデータ単位に関して異なる変調を用いて新規の出力波形を生成するようにさらに構成され、
前記送信機が、前記新規の出力波形を送信するようにさらに構成されている、請求項１に記載の装置。
【請求項１０】
前記異なる変調が、４位相偏移変調、８位相偏移変調、１６直交振幅変調および６４直交振幅変調からなる群より選択される、請求項９に記載の装置。
【請求項１１】
前記少なくとも１つのプロセッサが、
各半スロット内の少なくとも１つのトラヒックセグメントのうちの各々に関し、符号分割多重化（ＣＤＭ）または直交周波数分割多重化（ＯＦＤＭ）を選択し、
前記少なくとも１つのトラヒックセグメントを備える出力波形を生成するようにさらに構成され、各トラヒックセグメントは、前記トラヒックセグメントに関してＣＤＭが選択される場合、ＣＤＭデータを搬送し、または前記トラヒックセグメントに関してＯＦＤＭが選択される場合、ＯＦＤＭデータを搬送する、請求項１に記載の装置。
【請求項１２】
前記少なくとも１つのプロセッサが、
第１および第２のトラヒックセグメントの各々に関してＣＤＭまたはＯＦＤＭを選択し、
前記第１および第２のトラヒックセグメントならびにオーバーヘッドセグメントを備える前記出力波形を生成するようにさらに構成され、前記第１および第２のトラヒックセグメントの各々がＣＤＭデータまたはＯＦＤＭデータを搬送し、前記オーバーヘッドセグメントがオーバーヘッドデータを搬送する、請求項１１に記載の装置。
【請求項１３】
前記少なくとも１つのプロセッサが、
多数キャリアに関する多数のトラヒックセグメントの各々に関してＣＤＭまたはＯＦＤＭを選択し、
前記多数キャリアに関する前記多数のトラヒックセグメントを備える前記出力波形を生成するようにさらに構成され、各トラヒックセグメントがＣＤＭデータまたはＯＦＤＭデータを搬送する、請求項１１に記載の装置。
【請求項１４】
前記少なくとも１つのプロセッサが、
ＣＤＭデータを搬送する複数のトラヒックセグメントを備える第１の波形を生成し、
ＯＦＤＭデータを搬送する複数のトラヒックセグメントを備える第２の波形を生成し、
前記第１および第２の波形に基づいて前記出力波形を生成するようにさらに構成されている、請求項１１に記載の装置。
【請求項１５】
各スロットが２つの半スロットにセグメント化され、少なくとも１つの半スロットがパケットの１つのデータ単位を含む、少なくとも１つのスロットを備える入力波形を処理し、
前記データ単位を処理して前記データ単位が正しいか否かを判定し、
前記データ単位の前記処理結果に応じてＡＣＫ／ＮＡＣＫ（肯定応答／否定応答）情報を生成する、少なくとも１つのプロセッサと、
前記少なくとも１つのプロセッサに結合されたメモリと、
前記ＡＣＫ／ＮＡＣＫ情報を備えるチャネル情報を送信する送信機と、
を備える、装置。
【請求項１６】
前記入力波形が、少なくとも１つの付加的なスロットをさらに備え、前記少なくとも１つの付加的なスロットが、前記パケットからでありフルスロットとして構成されている、別のパケットからであり半スロットとして構成されている、および別のパケットからでありフルスロットとして構成されている、からなる群より選択される別のデータ単位を含む、請求項１５に記載の装置。
【請求項１７】
前記入力波形が、半スロットの８つのインタリーブ、フルスロットの４つのインタリーブ、またはそれらの組み合わせとしてさらに構成されている、請求項１５に記載の装置。
【請求項１８】
前記少なくとも１つのプロセッサが、
データ転送速度制御情報を生成し、
前記データ転送速度制御情報を前記チャネル情報に含めるようにさらに構成されている、請求項１５に記載の装置。
【請求項１９】
前記少なくとも１つのプロセッサが、
受信された信号品質を解析して、前記受信された信号品質に応じてチャネル品質インジケータを生成し、
前記チャネル品質インジケータを前記チャネル情報に含めるようにさらに構成されている、請求項１５に記載の装置。
【請求項２０】
前記少なくとも１つのプロセッサは、４位相偏移変調、８位相偏移変調、１６直交振幅変調および６４直交振幅変調からなる群より選択される変調を使用して前記データ単位を処理するようにさらに構成されている、請求項１５に記載の装置
【請求項２１】
前記少なくとも１つのプロセッサが、
各半スロット内の少なくとも１つのトラヒックセグメントに関し、符号分割多重化（ＣＤＭ）または直交周波数分割多重化（ＯＦＤＭ）が使用されているか否かを判定し、
ＣＤＭが使用されている場合、受信されたサンプルを処理して、前記トラヒックセグメントで送信されたＣＤＭデータを回復し、
ＯＦＤＭが使用されている場合、前記受信されたサンプルを処理して、前記トラヒックセグメントで送信されたＯＦＤＭデータを回復するようにさらに構成されている、請求項１５に記載の装置。
【請求項２２】
前記少なくとも１つのプロセッサが、
前記受信されたサンプルを処理して、前記トラヒックセグメントに対して使用された複数の副搬送波に関する受信されたシンボルを取得し、
前記受信されたシンボルを処理して、前記トラヒックセグメントで送信された前記ＯＦＤＭデータを回復するようにさらに構成されている、請求項２１に記載の装置。
【請求項２３】
前記少なくとも１つのプロセッサが、
前記受信されたサンプルをフィルタリングして、前記トラヒックセグメントに対して使用された複数の副搬送波に関する前記フィルタリングされたサンプルを取得し、
前記フィルタリングされたサンプルを処理して、前記トラヒックセグメントに関する入力サンプルを取得し、
多数の直交コードを用いて前記入力サンプルをデカバーして、受信されたシンボルを取得し、
前記受信されたシンボルを処理して、前記トラヒックセグメントで送信された前記ＣＤＭデータを回復するようにさらに構成されている、請求項２１に記載の装置。
【請求項２４】
前記少なくとも１つのプロセッサが、
前記受信されたサンプルを処理して、多数の副搬送波に関して周波数領域シンボルを取得し、
前記トラヒックセグメントに使用された複数の副搬送波に関する前記周波数領域シンボルを処理して、時間領域サンプルを取得し、
多数の直交コードを用いて前記時間領域サンプルをデカバーして、受信されたシンボルを取得し、
前記受信されたシンボルを処理して、前記トラヒックセグメントで送信された前記ＣＤＭデータを回復するようにさらに構成されている、請求項２１に記載の装置。
【請求項２５】
通信システムであって、
少なくとも１つのアクセスポイントであって、
ＡＣＫ／ＮＡＣＫ（肯定応答／否定応答）情報を含むチャネル情報を受信するためのアクセスポイント受信機と、
各スロットが２つの半スロットにセグメント化され、少なくとも１つの半スロットがパケットの１つのデータ単位を含む、少なくとも１つのスロットを備える出力波形を生成し、
前記ＡＣＫ／ＮＡＣＫ情報を解釈して、前記データ単位が再送されるべきか否かを判定する、少なくとも１つのアクセスポイントプロセッサと、
前記少なくとも１つのアクセスポイントプロセッサに結合されているアクセスポイントメモリと、
前記出力波形を送信するアクセスポイント送信機とを備える、少なくとも１つのアクセスポイントと、
少なくとも１つの端末であって、
前記出力波形を受信するための端末受信機と、
各スロットが２つの半スロットにセグメント化され、少なくとも１つの半スロットがパケットの１つのデータ単位を含む、少なくとも１つのスロットを備える前記出力波形を処理し、
前記データ単位を処理して、前記データ単位が正しいか否かを判定し、
前記データ単位の前記処理結果に応じてＡＣＫ／ＮＡＣＫ（肯定応答／否定応答）情報を生成する、少なくとも１つの端末プロセッサと、
前記少なくとも１つの端末プロセッサに結合されている端末メモリと、
前記ＡＣＫ／ＮＡＣＫ情報を備える前記チャネル情報を送信する端末送信機とを備える、少なくとも１つの端末とを備える、通信システム。
【請求項２６】
前記出力波形が、少なくとも１つの付加的なスロットをさらに備え、前記少なくとも１つの付加的なスロットが、前記パケットからでありフルスロットとして構成されている、別のパケットからであり半スロットとして構成されている、および別のパケットからでありフルスロットとして構成されている、からなる群より選択される別のデータ単位を含む、請求項２５に記載の通信システム。
【請求項２７】
前記出力波形が、半スロットの８つのインタリーブ、フルスロットの４つのインタリーブ、またはそれらの組み合わせとしてさらに構成されている、請求項２５に記載の通信システム。
【請求項２８】
前記チャネル情報が、データ転送速度制御情報をさらに備え、
前記少なくとも１つのアクセスポイントプロセッサが、前記データ転送速度制御情報に応じて前記データ単位に関して第１の変調を選択するようにさらに構成されている、請求項２５に記載の通信システム。
【請求項２９】
前記少なくとも１つのアクセスポイントプロセッサが、前記データ単位に関するペイロードサイズに相関がある変調を用いて前記出力波形を生成するようにさらに構成されている、請求項２５に記載の装置。
【請求項３０】
前記少なくとも１つのアクセスポイントプロセッサは、前記ＡＣＫ／ＮＡＣＫ情報が前記データ単位が再送されるべきであることを示す場合、前記データ単位の異なる変調を用いて新規の出力波形を生成するようにさらに構成されており、
前記送信機が、前記新規の出力波形を送信するようにさらに構成されている、請求項２５に記載の通信システム。
【請求項３１】
前記新規の出力波形の前記異なる変調が、前記出力波形の変調より下回るデータ転送速度になるように選択される、請求項３０に記載の装置。
【請求項３２】
前記異なる変調が、４位相偏移変調、８位相偏移変調、１６直交振幅変調および６４直交振幅変調からなる群より選択される、請求項３０に記載の通信システム。
【請求項３３】
前記チャネル情報が、チャネル品質インジケータをさらに備え、
前記少なくとも１つのアクセスポイントプロセッサが、
前記チャネル品質インジケータを解釈し、
前記解釈されたチャネル品質インジケータに応じて後の複数のデータ単位に関して異なる変調を用いて新規の出力波形を生成するようにさらに構成され、
前記送信機が、前記新規の出力波形を送信するようにさらに構成されている、請求項２５に記載の通信システム。
【請求項３４】
前記異なる変調が、４位相偏移変調、８位相偏移変調、１６直交振幅変調および６４直交振幅変調からなる群より選択される、請求項３３に記載の通信システム。
【請求項３５】
前記少なくとも１つのアクセスポイントプロセッサが、
各半スロット内の少なくとも１つのトラヒックセグメントのうちの各々に関し、符号分割多重化（ＣＤＭ）または直交周波数分割多重化（ＯＦＤＭ）を選択し、
前記少なくとも１つのトラヒックセグメントを備える出力波形を生成するようにさらに構成され、各トラヒックセグメントは、前記トラヒックセグメントに関してＣＤＭが選択される場合、ＣＤＭデータを搬送し、または前記トラヒックセグメントに関してＯＦＤＭが選択される場合、ＯＦＤＭデータを搬送する、請求項２５に記載の通信システム。
【請求項３６】
前記少なくとも１つのアクセスポイントプロセッサが、
第１および第２のトラヒックセグメントの各々に関してＣＤＭまたはＯＦＤＭを選択し、
前記第１および第２のトラヒックセグメントならびにオーバーヘッドセグメントを備える前記出力波形を生成するようにさらに構成され、前記第１および第２のトラヒックセグメントの各々がＣＤＭデータまたはＯＦＤＭデータを搬送し、前記オーバーヘッドセグメントがオーバーヘッドデータを搬送する、請求項３５に記載の通信システム。
【請求項３７】
前記少なくとも１つのアクセスポイントプロセッサが、
多数キャリアに関する多数のトラヒックセグメントの各々に関してＣＤＭまたはＯＦＤＭを選択し、
前記多数キャリアに関する前記多数のトラヒックセグメントを備える前記出力波形を生成するようにさらに構成され、各トラヒックセグメントがＣＤＭデータまたはＯＦＤＭデータを搬送する、請求項３５に記載の通信システム。
【請求項３８】
前記少なくとも１つのアクセスポイントプロセッサが、
ＣＤＭデータを搬送する複数のトラヒックセグメントを備える第１の波形を生成し、
ＯＦＤＭデータを搬送する複数のトラヒックセグメントを備える第２の波形を生成し、
前記第１および第２の波形に基づいて前記出力波形を生成するようにさらに構成されている、請求項３５に記載の通信システム。
【請求項３９】
アクセスポイントで出力波形を生成することであって、前記出力波形が少なくとも１つのスロットを備え、各スロットが２つの半スロットにセグメント化され、少なくとも１つの半スロットがパケットの１つのデータ単位を含む、出力波形を生成することと、
端末で、
前記出力波形を処理して、前記データ単位を抽出することと、
前記データ単位を処理して、前記データ単位が正しいか否かを判定することと、
前記データ単位の処理に応じてＡＣＫ／ＮＡＣＫ（肯定応答／否定応答）情報を生成することと、
前記ＡＣＫ／ＮＡＣＫ情報を備えるチャネル情報を送信することと、
前記ＡＣＫ／ＮＡＣＫ情報を前記アクセスポイントで解釈して、前記データ単位が再送されるべきであるか否かを判定することと、
を備える、通信システムにおける方法。
【請求項４０】
前記出力波形がさらに少なくとも１つの付加的なスロットを含むように生成され、前記少なくとも１つの付加的なスロットが、前記パケットからでありフルスロットとして構成されている、別のパケットからであり半スロットとして構成されている、および別のパケットからでありフルスロットとして構成されている、からなる群より選択される別のデータ単位を含む、請求項３９に記載の通信システム。
【請求項４１】
前記出力波形が、半スロットの８つのインタリーブ、フルスロットの４つのインタリーブ、またはそれらの組み合わせとしてさらに生成される、請求項３９に記載の通信システム。
【請求項４２】
前記チャネル情報に含まれるデータ転送速度制御情報に応じて前記データ単位に関して第１の変調を選択することをさらに備える、請求項３９に記載の方法。
【請求項４３】
前記出力波形が、前記データ単位に関するペイロードサイズに相関がある変調を用いてさらに生成される、請求項３９に記載の装置。
【請求項４４】
前記ＡＣＫ／ＮＡＣＫ情報が前記データ単位が再送されるべきであることを示す場合、前記データ単位の異なる変調を用いて新規の出力波形を生成することと、
前記新規の出力波形を送信することとをさらに備える、請求項３９に記載の方法。
【請求項４５】
前記新規の出力波形の前記異なる変調が、前記出力波形の変調より下回るデータ転送速度になるように選択される、請求項４４に記載の装置。
【請求項４６】
前記異なる変調が、４位相偏移変調、８位相偏移変調、１６直交振幅変調および６４直交振幅変調からなる群より選択される、請求項４４に記載の方法。
【請求項４７】
前記チャネル情報に含まれるチャネル品質インジケータを解釈することと、
前記解釈することに応じて後の複数のデータ単位に関して異なる変調を用いて新規の出力波形を生成することと、
前記新規の出力波形を送信することとをさらに備える、請求項３９に記載の方法。
【請求項４８】
前記異なる変調が、４位相偏移変調、８位相偏移変調、１６直交振幅変調および６４直交振幅変調からなる群より選択される、請求項４７に記載の方法。
【請求項４９】
各半スロット内の少なくとも１つのトラヒックセグメントのうちの各々に関し、符号分割多重化（ＣＤＭ）または直交周波数分割多重化（ＯＦＤＭ）を選択することと、
前記少なくとも１つのトラヒックセグメントを備える出力波形を生成することとをさらに備え、各トラヒックセグメントは、前記トラヒックセグメントに関してＣＤＭが選択された場合、ＣＤＭデータを搬送し、または前記トラヒックセグメントに関してＯＦＤＭが選択された場合、ＯＦＤＭデータを搬送する、請求項３９に記載の方法。
【請求項５０】
第１および第２のトラヒックセグメントの各々に関してＣＤＭまたはＯＦＤＭを選択することと、
前記第１および第２のトラヒックセグメントならびにオーバーヘッドセグメントを備える前記出力波形を生成することとをさらに備え、前記第１および第２のトラヒックセグメントの各々がＣＤＭデータまたはＯＦＤＭデータを搬送し、前記オーバーヘッドセグメントがオーバーヘッドデータを搬送する、請求項４９に記載の方法。
【請求項５１】
多数キャリアに関する多数のトラヒックセグメントの各々に関してＣＤＭまたはＯＦＤＭを選択することと、
前記多数キャリアに関する前記多数のトラヒックセグメントを備える前記出力波形を生成することとをさらに備え、各トラヒックセグメントがＣＤＭデータまたはＯＦＤＭデータを搬送する、請求項４９に記載の方法。
【請求項５２】
ＣＤＭデータを搬送する複数のトラヒックセグメントを備える第１の波形を生成することと、
ＯＦＤＭデータを搬送する複数のトラヒックセグメントを備える第２の波形を生成することと、
前記第１および第２の波形に基づいて前記出力波形を生成することとをさらに備える、請求項４９に記載の方法。
【誤訳訂正２】
【訂正対象書類名】明細書
【訂正対象項目名】全文
【訂正方法】変更
【訂正の内容】
【書類名】明細書
【発明の名称】無線通信でのサブスロットパケットに関する方法および装置
【技術分野】
【０００１】
35 U.S.C. 119に基づく優先権主張
本特許出願は、本出願の譲受人に譲渡され、言及によって明示的に本明細書の一部とされる、共に２００６年２月２１日に出願された「無線通信システムおよび方法（Wireless Communication System and Method）」と題された仮出願第６０／７７５，４４３号および「ＤＯ通信システムおよび方法（DO Communication System and Method）」と題された仮出願第６０／７７５，６９３号と、２００６年３月２４日に出願された「３ＧＰＰ２無線インターフェース進化フェーズ２に関するＱＵＡＬＣＯＭＭ提案（QUALCOMM Proposal for 3GPP2 Air Interface Evolution Phase 2）」と題された仮出願第６０／７８５，９７１号の優先権を主張する。
【０００２】
背景
本開示は、一般に、通信に関し、より詳細には、無線通信システムに関する送信技術に関する。
【背景技術】
【０００３】
無線通信システムは、音声、映像、パケットデータ、メッセージング、ブロードキャスト、その他等の種々の通信サービスを提供するために広範囲に配備されている。これらのシステムは、利用可能なシステムリソースを共有することによって複数のユーザをサポート可能な多重アクセスシステムであり得る。そのような多重アクセスシステムの例は、符号分割多重アクセス（ＣＤＭＡ）システム、時分割多重アクセス（ＴＤＭＡ）システム、周波数分割多重アクセス（ＦＤＭＡ）、直交ＦＤＭＡ（ＯＦＤＭＡ）システム、および単一キャリアＦＤＭＡ（ＳＣ−ＦＤＭＡ）システムを備えている。
【０００４】
多重アクセスシステムは、符号分割多重化（ＣＤＭ）、時分割多重化（ＴＤＭ）、その他等の１つ以上の多重化方式を利用し得る。このシステムが配備され得て、既存の端末にサービス提供し得る。これらの多重アクセスシステムは、通常、送信での１つ以上のスロットを占有するパケットを備え得る。既存の端末に対する下位互換性を保持しながら、システムの性能を向上させることが望ましい可能性がある。例えば、多数のアンテナを使用することによってもたらされる付加的な空間的次元を活用することによってスループットおよび／または信頼性を改善するために、多重入出力（ＭＩＭＯ）および空間分割多重アクセス（ＳＤＭＡ）等の空間的技術を用いることが望ましい可能性がある。
【０００５】
それゆえに、当技術分野において、従来のスロットより占有が少ないパケットをサポート可能な順方向リンクパケットに関する送信技術の必要性が存在する。さらに、既存の端末に関する下位互換性を保持しながら空間的技術をサポート可能な送信技術の必要性が存在する。
【特許文献１】仮出願第６０／７７５，４４３号
【特許文献２】仮出願第６０／７７５，６９３号
【特許文献３】仮出願第６０／７８５，９７１号
【発明の開示】
【発明の概要】
【０００６】
無線通信システムでデータを効果的に送信および受信する技術が本明細書で説明されている。この技術は、既存の設計と下位互換性があるスロット構造を利用する。この技術は、スロット構造のフルスロットより少なく占有する順方向リンクパケットの送信および受信を備えている。この技術は、空間的技術および／または他の高度な通信技術を効果的にサポートするために、さらに、直交周波数分割多重化（ＯＦＤＭ）を選択的に用いる。
【０００７】
一態様によれば、アクセスポイントは、受信機、少なくとも１つのプロセッサ、少なくとも１つのプロセッサに結合されたメモリ、および出力波形を送信するように構成されている送信機を含む。受信機は、ＡＣＫ／ＮＡＣＫ（肯定応答／否定応答）情報を含むチャネル情報を用いて遠隔ステーションからチャネル情報を受信するように構成されている。少なくとも１つのプロセッサは、少なくとも１つのスロットを備える出力波形を生成するように構成されている。各スロットは、２つの半スロットにセグメント化され、少なくとも１つの半スロットは、パケットの１つのデータ単位を含む。さらに、少なくとも１つのプロセッサは、ＡＣＫ／ＮＡＣＫ情報を解釈し、データ単位が遠隔ステーションに再送信されるべきか否かを決定するように構成されている。
【０００８】
別の態様によれば、端末装置は、少なくとも１つのプロセッサ、少なくとも１つのプロセッサに結合されているメモリ、およびＡＣＫ／ＮＡＣＫ情報を備えるチャネル情報を送信する送信機を含む。少なくとも１つのプロセッサは、少なくとも１つのスロットを備える入力波形を処理するように構成されている。各スロットは、２つの半スロットにセグメント化され、少なくとも１つの半スロットは、パケットの１つのデータ単位を含む。さらに、少なくとも１つのプロセッサは、データ単位を処理してデータ単位が正確であるか否かを決定し、データ単位の処理結果に応じてＡＣＫ／ＮＡＣＫ情報を生成するように構成されている。
【０００９】
別の態様によれば、通信システムは、出力波形を順方向リンクで伝達し、ＡＣＫ／ＮＡＣＫ情報を逆方向リンクで伝達するように互いに通信する、共に上述されたアクセスポイントおよび端末を備えている。
【００１０】
さらに別の態様によれば、方法が、アクセスポイントで出力波形を生成することを含む。出力波形は、少なくとも１つのスロットを含む。各スロットは、２つの半スロットにセグメント化され、少なくとも１つの半スロットは、パケットの１つのデータ単位を含む。方法は、端末で、出力波形を処理してデータ単位を抽出することおよびデータ単位を処理してデータ単位が正確であるか否かを決定することをさらに含む。さらに、データ単位の処理結果に応じてＡＣＫ／ＮＡＣＫ情報を生成することおよびＡＣＫ／ＮＡＣＫ情報を備えるチャネル情報を送信することのプロセスが端末によって実行される。方法は、アクセスポイントでＡＣＫ／ＮＡＣＫ情報を解釈し、データ単位が再送されるべきか否かを決定することをさらに含む。
【００１１】
本開示の種々の態様および特性が以下のさらなる詳細で説明される。
【詳細な説明】
【００１２】
本明細書で説明される送信技術は、ＣＤＭＡ、ＴＤＭＡ、ＦＤＭＡ、ＯＦＤＭＡ、およびＳＣ−ＦＤＭＡシステム等の種々の無線通信システムに関して使用され得る。用語「システム」および「ネットワーク」は、しばしば同じ意味で使用される。ＣＤＭＡシステムは、ｃｄｍａ２０００、全地球無線アクセス（ＵＴＲＡ）、進化型ＵＴＲＡ（Ｅ−ＵＴＲＡ）、その他等の無線技術を実装し得る。ｃｄｍａ２０００は、ＩＳ−２０００、ＩＳ−９５およびＩＳ−８５６標準を網羅する。ＵＴＲＡは、広帯域ＣＤＭＡ（Ｗ−ＣＤＭＡ）および低チップ速度（ＬＣＲ）を備えている。ＴＤＭＡシステムは、移動体通信用地球システム（ＧＳＭ）等の無線技術を実装し得る。ＯＦＤＭＡシステムは、長期的発展型（ＬＴＥ）、ＩＥＥＥ  ８０２．２０、フラッシュ−ＯＦＤＭ（登録商標）、その他等の無線技術を実装してよい。ＵＴＲＡ、Ｅ−ＵＴＲＡ、ＧＳＭおよびＬＴＥは、「第３世代提携プロジェクト（３ＧＰＰ）」と名付けられた組織からの文書で説明されている。ｃｄｍａ２０００は「第３世代提携プロジェクト２（３ＧＰＰ２）」と名付けられた組織からの文書で説明されている。これらの種々の無線技術および標準は、当技術分野で知られている。
【００１３】
明確化のために、技術の種々の態様は、ＩＳ−８５６を実装する高速パケットデータ（ＨＲＰＤ）に関して以下で説明される。ＨＲＰＤは、進化型データ最適化（ＥＶ−ＤＯ）、データ最適化（ＤＯ）、高速データ転送速度（ＨＤＲ）、その他とも呼ばれる。用語ＨＲＰＤおよびＥＶ−ＤＯは、しばしば同じ意味で使用される。現在、ＨＲＰＤ改定（Ｒｅｖｓ．）０、Ａ、およびＢが標準化され、ＨＲＰＤ  Ｒｅｖｓ．０およびＡが展開され、ＨＲＰＤ  Ｒｅｖ．Ｃが展開中である。ＨＲＰＤ  Ｒｅｖｓ．０およびＡは、単一キャリアＨＲＰＤ（１ｘＨＲＰＤ）を網羅する。ＨＲＰＤ  Ｒｅｖ．Ｂは、多数キャリアＨＲＰＤを網羅し、ＨＲＰＤ  Ｒｅｖｓ．０およびＡとの下位互換性がある。本明細書で説明される技術は、あらゆるＨＲＰＤ改定に組み込まれてよい。明確化のために、以下の説明の大半でＨＲＰＤの専門用語が使用される。
【００１４】
図１は、多数のアクセスポイント１１０および多数の端末１２０を備えるＨＲＰＤ通信システム１００を示す。アクセスポイントは、一般に、多数の端末と通信する固定局であり、基地局、ノードＢ、その他とも呼ばれ得る。各アクセスポイント１１０は、特定の地理的領域に関する通信範囲を提供し、この通信範囲内に配置される端末に対する通信をサポートする。アクセスポイント１１０は、これらのアクセスポイントに関する調整および制御を提供するシステムコントローラ１３０に結合し得る。システムコントローラ１３０は、基地局コントローラ（ＢＳＣ）、パケット制御機能（ＰＣＦ）、パケットデータサービスノード（ＰＤＳＮ）、その他等のネットワークエンティティを備え得る。
【００１５】
端末１２０は、システム全体に分散されてよく、各端末は固定または移動体であってよい。端末は、アクセス端末、移動局、ユーザ装置、加入者ユニット、局、その他とも呼ばれ得る。端末は、携帯電話、携帯情報端末（ＰＤＡ）、無線デバイス、携帯用デバイス、無線モデム、ラップトップ型コンピュータ、その他であってよい。端末は、あらゆるＨＲＰＤ改定をサポートしてよい。ＨＲＰＤでは、任意の所与の瞬間に端末が１つのアクセスポイントからの順方向リンク上の送信を受信してよく、１つ以上のアクセスポイントに逆方向リンク上の送信を送信してよい。順方向リンク（または下りリンク）は、アクセスポイントから端末への通信リンクを示し、逆方向リンク（または上りリンク）は、端末からアクセスポイントへの通信リンクを示す。
【００１６】
図２は、ＨＲＰＤでの順方向リンク上のＣＤＭをサポートする単一キャリアスロット構造２００を示す。送信時系列は、スロットに分割されている。各スロットは、１．６６７ミリ秒（ｍｓ）の継続時間を有し、２０４８チップにわたる。各チップは、１．２２８８メガチップ／秒（Ｍｃｐｓ）のチップ速度に関して８１３．８ナノ秒（ｎｓ）の継続時間を有する。各スロットは、２つの同一の半スロットに分割される。各半スロットは、（i）半スロットの中央にあるパイロットセグメントおよびこのパイロットセグメントの両側の２つの媒体アクセス制御（ＭＡＣ）セグメントから構成されるオーバーヘッドセグメントと、（ii）このオーバーヘッドセグメントの両側の２つのトラヒックセグメントとを備えている。トラヒックセグメントは、トラヒックチャネルセグメント、データセグメント、データフィールド、その他とも呼ばれ得る。パイロットセグメントは、パイロットを搬送し、９６チップの継続時間を有する。各ＭＡＣセグメントは、シグナリング（例えば、逆電力制御（ＲＰＣ）情報）を搬送し、６４チップの継続時間を有する。各トラヒックセグメントは、トラヒックデータ（例えば、特定の端末に関するユニキャストデータ、ブロードキャストデータ、その他）を搬送し、４００チップの継続時間を有する。
【００１７】
ＨＲＰＤ  Ｒｅｖｓ．０、ＡおよびＢは、トラヒックセグメントで送信されるデータに関してＣＤＭを使用する。トラヒックセグメントは、アクセスポイントによってサービス提供される１以上の端末に関するＣＤＭデータを搬送し得る。各端末に関するトラヒックデータは、その端末から受信されたチャネルフィードバックによって決定されるコーディングおよび変調パラメータに基づいて処理され、データシンボルを生成し得る。１つ以上の端末に関するデータシンボルは、逆多重化され、１６チップのウォルシュ関数（Walsh functions）またはコードで覆われ、そのトラヒックセグメントに関するＣＤＭデータを生成する。ＣＤＭデータは、そのようにしてウォルシュ関数を使用して時間領域で生成される。ＣＤＭトラヒックセグメントは、ＣＤＭデータを搬送するトラヒックセグメントである。
【００１８】
トラヒックセグメントで送信されるデータに対してＯＦＤＭおよび／または単一キャリア周波数分割多重化（ＳＣ−ＦＤＭ）を使用することが望ましいであろう。ＯＦＤＭおよびＳＣ−ＦＤＭは、利用可能な帯域幅を、トーン、ビン、その他とも呼ばれる多数の直交副搬送波に分割する。各副搬送波は、データで変調され得る。一般に、変調シンボルは、ＯＦＤＭによって周波数領域で送信され、ＳＣ−ＦＤＭによって時間領域で送信される。ＯＦＤＭおよびＳＣ−ＦＤＭは、周波数選択性フェーディングによって生じるシンボル間干渉（ＩＳＩ）に容易に対処する能力等の所定の望ましい特性を有する。さらに、独立して各副搬送波に適用し得て、従って、周波数選択的チャネルで良質の性能をもたらし得るＭＩＭＯおよびＳＤＭＡを、ＯＦＤＭは効果的にサポートすることが可能である。明確化のために、データを送信するためのＯＦＤＭの使用が以下で説明されている。
【００１９】
ＨＲＰＤ  Ｒｅｖｓ．０、ＡおよびＢとの下位互換性を維持しながらＯＦＤＭをサポートすることが望ましいであろう。ＨＲＰＤでは、トラヒックセグメントはサービス提供されている端末だけによって復調され得るのに対し、パイロットおよびＭＡＣセグメントは全ての動作中の端末によって復調され得る。それゆえに、下位互換性は、パイロットおよびＭＡＣセグメントを保持し、トラヒックセグメントを修正することによって達成され得る。ＯＦＤＭデータは、所与の４００チップトラヒックセグメントのＣＤＭデータを、４００チップ以下の総継続時間を有する１つ以上のＯＦＤＭシンボルに置換することによってＨＲＰＤ波形で送信され得る。
【００２０】
図３Ａは、ＨＲＰＤでＯＦＤＭをサポートする単一キャリアスロット構造３００を示す。単純化のために、１つの半スロットだけが図３Ａで示されている。半スロットは、（i）半スロットの中央にある９６チップのパイロットセグメントおよびこのパイロットセグメントの両側の２つの６４チップのＭＡＣセグメントから構成されるオーバーヘッドセグメントと、（ii）このオーバーヘッドセグメントの両側の２つのトラヒックセグメントとを備えている。一般に、各トラヒックセグメントは、１つ以上のＯＦＤＭシンボルを搬送し得る。図３Ａで示される例では、各トラヒックセグメントが２つのＯＦＤＭシンボルを搬送し、各ＯＦＤＭシンボルは、２００チップの継続時間を有し、２００チップの１つのＯＦＤＭシンボル周期で送信される。
【００２１】
図３Ｂは、ＨＲＰＤでＣＤＭおよびＯＦＤＭをサポートする単一キャリアスロット構造３０２を示す。半スロットは、（i）９６チップのパイロットセグメントおよび２つの６４チップのＭＡＣセグメントから構成されるオーバーヘッドセグメントと、（ii）このオーバーヘッドセグメントの両側の２つのトラヒックセグメントとを備えている。一設計では、ＣＤＭまたはＯＦＤＭが各トラフィックセグメントに関して選択され得る。この設計では、各トラヒックセグメントは、ＣＤＭが選択される場合、ＣＤＭデータを、またはＯＦＤＭが選択される場合、１つ以上のＯＦＤＭシンボルを搬送し得る。別の設計では、１つのトラヒックセグメントは、ＣＤＭデータおよびＯＦＤＭデータを共に搬送し得る。例えば、１つのトラヒックセグメントは、このトラヒックセグメントの半分でＣＤＭデータを、このトラヒックセグメントの別の半分で１つ以上のＯＦＤＭシンボルを搬送し得る。
【００２２】
一般に、ＯＦＤＭシンボルは、種々のＯＦＤＭシンボルの数秘術（numerologies）または設計に基づいて生成され得る。各ＯＦＤＭシンボル数秘術は、ＯＦＤＭシンボル継続時間、副搬送波の数、周期的プレフィックス長、その他等の関連パラメータに関する特定の値に関連する。ＯＦＤＭシンボル継続時間は、トラヒックセグメントを完全に利用するために、４００チップのトラヒックセグメントの整数の約数であるべきである。さらに、ＯＦＤＭのサンプルレートは、アクセスポイントおよび端末での処理を単純化するために、ＣＤＭデータに関するチップ転送速度の整数の倍数であるべきである。
【００２３】
表１は、ＨＲＰＤに関する３つの例示的ＯＦＤＭシンボル数秘術を載せている。（i）整数個のＯＦＤＭシンボルがトラヒックセグメントで送信され、（ii）ＯＦＤＭシンボルに関するサンプルレートがＣＤＭデータに関するチップ速度の整数の倍数であるように、これらの数秘術は、ＨＲＰＤスロット構造およびチップ速度と両立するように選択される。さらに、離散フーリエ変換（ＤＦＴ）サイズを決定する、副搬送波の総数がＯＦＤＭシンボルの効果的な生成を可能にするように、この数秘術は選択される。これらの数秘術に関し、副搬送波の総数は、２の累乗ではないが、小さい素因数を有する。例えば、９０の副搬送波は、２、３、３および５の素因数によって取得される。小さい素因数は、ＯＦＤＭシンボルを生成するための効果的な混合基底高速フーリエ変換（ＦＦＴ）の実装を可能にし得る。表１に示される数秘術は、ＨＲＰＤ順方向リンク波形でのＯＦＤＭデータの効果的な埋め込みを可能にする。
【表１】
2009539276.tif 000001
【００２４】
表１のＯＦＤＭシンボル数秘術のいずれもが、トラヒックセグメントのＣＤＭデータをＯＦＤＭデータに置換するために使用され得る。これらのＯＦＤＭシンボル数秘術は、ドップラー分散および多経路遅延許容（multipath delay tolerance）に関して異なるトレードオフを提供する。数秘術１は、数秘術２および３と比べて、最大の副搬送波間隔および最短の周期的プレフィックスを有する。それゆえに、数秘術１は、（より大きい副搬送波間隔に起因して）より優れたドップラー許容を提供し得て、（最短の周期的プリフィックスに起因して）より低い遅延許容を犠牲にして高速自動車チャネル（high-speed vehicular channels）での高スペクトル効率を可能にし得る。数秘術３は、数秘術１および２と比べて、最小の副搬送波間隔および最長の周期的プレフィックスを有する。それゆえに、数秘術３は、（より小さい副搬送波間隔に起因して）より低いドップラー許容だが（より長い周期的プリフィックスに起因して）より高い遅延許容を提供し得て、それらは、リピータによって誘発されるような大きな多経路遅延の存在下で高いスペクトル効率を可能にし得る。
【００２５】
トラヒックセグメントに対して他のＯＦＤＭシンボル数秘術が同様に使用され得る。一般に、ＯＦＤＭシンボル数秘術は、（i）ＯＦＤＭシンボル継続時間およびサンプルレートがＨＲＰＤスロット形式およびチップ速度と各々両立し、（ii）ＤＦＴサイズが効果的なＯＦＤＭシンボル生成を可能にするように、選択され得る。これによって、次に、効果的および下位互換性のあるやり方で、ＨＲＰＤ順方向リンク波形のＣＤＭデータをＯＦＤＭデータに置換することが可能になり得る。ＣＤＭデータは、各トラヒックセグメントで選択的にＯＦＤＭデータに置換され得る。オーバーヘッドセグメントは、下位互換性のために維持され得る。
【００２６】
一設計では、固定のＯＦＤＭシンボル数秘術が、ＯＦＤＭデータを搬送する全てのトラヒックセグメントに対して使用される。端末は、推測的にこのＯＦＤＭシンボル数秘術を知り得て、数秘術のシグナリングを何もなしでＯＦＤＭデータを変調することが可能であり得る。
【００２７】
別の設計では、ＯＦＤＭデータを搬送する所与のトラヒックセグメントに対して設定可能なＯＦＤＭシンボル数秘術が使用され得る。数秘術のセット（例えば、表１にリストアップされている）がサポートされ得る。
【００２８】
異なる端末に対して異なる数秘術が使用され得る。各端末に対して、その端末のチャネル状況に基づいて適切な数秘術が選択され得る。例えば、数秘術１が高速で移動する端末に対して使用されてよく、大きい多経路遅延分散を有する端末に対して数秘術３が使用されてよく、中程度の速度および／または中程度の多経路遅延分散を有する端末に対して数秘術２が使用されてよい。
【００２９】
図４は、ＨＲＰＤでＣＤＭをサポートする多数キャリアスロット構造４００を示す。ＨＲＰＤ  Ｒｅｖ．Ｂで、所与のスペクトル割り当てを満たす多数キャリアＨＲＰＤ波形を取得するために、多数の１ｘＨＲＰＤ波形が周波数領域で多重化され得る。図４に示される例では、３つのＨＲＰＤキャリア１、２および３に関する３つの１ｘＨＲＰＤ波形が５ＭＨｚスペクトル割り当てに周波数多重化されている。各１ｘＨＲＰＤ波形が異なるキャリアに対して生成され、約１．２５ＭＨｚを占有する。これら３つの１ｘＨＲＰＤ波形は、近似的に３×１．２５＝３．７５ＭＨｚを占有し、それは、５ＭＨｚスペクトル割り当ての両端に非常に大きいガード帯域を残し得る。隣接するキャリアの間の間隔はＨＲＰＤで特定されないが、通常、隣接する１ｘＨＲＰＤ波形の間に小さい遷移帯域を設けるように選択される。
【００３０】
図４に示されるように、多数キャリアＨＲＰＤ波形は、３つのキャリアに対し、各半スロットに３つのオーバーヘッドセグメントおよび６つのトラヒックセグメントを備えている。各トラヒックセグメントは、図４に示されるように、ＣＤＭデータを搬送し得る。多数キャリアＨＲＰＤ波形の各トラヒックセグメントのＣＤＭデータは、選択的にＯＦＤＭデータに置換され得る。さらに、多数キャリアＨＲＰＤ波形のトラヒックおよびオーバーヘッドセグメントは、スペクトル割り当てを効果的に利用するために配置され得る。
【００３１】
図５は、ＨＲＰＤでＣＤＭおよびＯＦＤＭをサポートする多数キャリアスロット構造５００を示す。図５に示される例では、３つのＨＲＰＤキャリアが５ＭＨｚのスペクトル割り当てで送信され、帯域幅利用を向上させるためにできるだけ近接した間隔にされている。各ＨＲＰＤキャリアに関し、各半スロットは、（i）パイロットおよびＭＡＣセグメントから構成されるオーバヘッドセグメントと、（ii）このオーバーヘッドセグメントの両側の２つのトラヒックセグメントとを備えている。ＨＲＰＤキャリア１は、オーバーヘッドセグメントの左右にトラヒックセグメント（ＴＳ）１ａおよび１ｂを備え、ＨＲＰＤキャリア２は、オーバーヘッドセグメントの左右にトラヒックセグメント２ａおよび２ｂを備え、ＨＲＰＤキャリア３は、オーバーヘッドセグメントの左右にトラヒックセグメント３ａおよび３ｂを備えている。各ＨＲＰＤキャリアに関する各トラヒックセグメントは、ＣＤＭデータまたはＯＦＤＭデータを搬送し得る。
【００３２】
５ＭＨｚのスペクトル割り当てへの３−キャリアＨＲＰＤの場合、ＯＦＤＭシンボルは、図５に示されるように、ｎ＝４に対し、４×１．２２８８＝４．９１５２Ｍｃｐｓのサンプルレートで生成され得る。そしてＯＦＤＭシンボルは、５ＭＨｚスペクトル割り当ての大部分を占有し得る。代替的に、ＯＦＤＭシンボルがｎ＝３に対して３×１．２２８８＝３．６８６４Ｍｃｐｓのサンプルレートで生成されてよく、それは図５に示されていない。
【００３３】
ＯＦＤＭシンボルは、トラヒック区間の各ＯＦＤＭシンボル周期毎に生成されてよい。各ＯＦＤＭシンボル周期は、表１のＯＦＤＭシンボル数秘術２では２００チップである。
【００３４】
ＯＦＤＭシンボルは、（i）ＯＦＤＭに対して使用されるトラヒックセグメントに対応する副搬送波および（ii）スペクトル割り当ての両端にある残りの使用可能な副搬送波上をＯＦＤＭデータを搬送し得る。ＯＦＤＭシンボルは、さらに、ＣＤＭデータを有するトラヒックセグメントに対応する副搬送波上をゼロにし得る。ＯＦＤＭシンボルは、０以上のＨＲＰＤキャリアに対する０以上のトラヒックセグメントでＣＤＭデータを選択的に置換し得るＯＦＤＭデータをそのようにして搬送し得る。ＯＦＤＭは、５ＭＨｚスペクトル割り当てでの利用可能なスペクトルのより優れた利用を可能にする。
【００３５】
ＨＲＰＤキャリアの間の間隔は、ＣＤＭに対して使用されるパルス整形フィルタ、ＣＤＭデータおよび／またはＯＦＤＭデータが生成されるやり方、その他等の種々の要因に基づいて選択され得る。送信なしの副搬送波であるガード副搬送波が、スペクトル割り当ての両端で使用され得る。帯域端でのガード副搬送波の数は、スプリアス放射（spurious emission）要件および／または他の要因に基づいて選択され得る。
【００３６】
図６は、ＨＲＰＤでＣＤＭおよびＯＦＤＭをサポートし、利用可能な帯域幅をさらに充分に利用する多数キャリアスロット構造６００を示す。スロット構造６００は、図５のスロット構造５００のトラヒックおよびオーバーヘッドセグメントの全てを備えている。スロット構造６００は、２２４チップのオーバヘッド区間のパイロットまたはＭＡＣセグメントのために使用されないスペクトル部分にＯＦＤＭデータをさらに備えている。
【００３７】
さらなるＯＦＤＭシンボル数秘術が、パイロットおよびＭＡＣセグメントを覆う２２４チップのオーバーヘッド区間に対して規定され得る。（i）整数個のＯＦＤＭシンボルがオーバーヘッド区間で送信され、（ii）ＯＦＤＭシンボルに対するサンプルレートがチップ速度の整数倍であるように、これらの数秘術が選択され得る。表２は、オーバーヘッド区間に関する２つの例示的ＯＦＤＭシンボル数秘術を載せている。オーバーヘッド区間で送信されるＯＦＤＭシンボルは、それらの継続時間が、表１の対応する数秘術でトラヒック区間で送信される「通常の」ＯＦＤＭシンボルの継続時間より長いため、「長い」ＯＦＤＭシンボルと呼ばれる
【表２】
2009539276.tif 000002
【００３８】
オーバーヘッド区間に対して別のＯＦＤＭシンボル数秘術が同様に用いられ得る。一般に、ＯＦＤＭシンボル数秘術は、（i）ＯＦＤＭシンボル継続時間およびサンプルレートがＨＲＰＤスロット形式およびチップ速度と各々両立し、（ii）ＤＦＴサイズが効果的なＯＦＤＭシンボル生成を可能にするように、選択され得る。
【００３９】
以下で説明されるように、ＯＦＤＭシンボルは、オーバーヘッド区間の各ＯＦＤＭシンボル周期毎に生成され得る。ＯＦＤＭシンボルは、パイロットおよびＭＡＣセグメントのために使用されない帯域幅部分に対応する副搬送波のＯＦＤＭデータを搬送し得る。ＯＦＤＭシンボルは、パイロットおよびＭＡＣセグメントに対応する副搬送波上をゼロにし得る。オーバーヘッド区間に１つ以上の長いＯＦＤＭシンボルを使用することによって全体のスペクトル利用が改善され得る。
【００４０】
図５および６に示される設計では、４つの論理チャネルＣｈ１、Ｃｈ２、Ｃｈ３およびＣｈ４がトラヒックセグメントに関して規定され得る。これらの論理チャネルは、データチャネル、トラックチャネル、その他とも呼ばれ得る。論理チャネルＣｈ１は、ＨＲＰＤキャリア１上を送信されるトラヒックセグメント１ａおよび１ｂを備えてよく、論理チャネルＣｈ２は、ＨＲＰＤキャリア２上を送信されるトラヒックセグメント２ａおよび２ｂを備えてよく、論理チャネルＣｈ３は、ＨＲＰＤキャリア３上を送信されるトラヒックセグメント３ａおよび３ｂを備えてよく、論理チャネルＣｈ４は、残りの使用可能なスペクトル上を送信されるトラヒックセグメント４ａ、４ｂおよび４ｃを備えてよい。論理チャネルＣｈ１、Ｃｈ２およびＣｈ３は、従って、ＨＲＰＤキャリア１、２および３と重なり合う副搬送波と各々対応する。論理チャネルＣｈ１、Ｃｈ２およびＣｈ３は、各スロット、各半スロット、その他のＣＤＭとＯＦＤＭとを切り替えてよい。論理チャネルＣｈ４は、関連するＨＲＰＤキャリアを有さず、帯域幅利用を改善するために使用され得る。さらに、論理チャネルＣｈ４は、各論理サブチャネルが副搬送波の連続セットを備えるように、２つの論理サブチャネル、例えば下側Ｃｈ４および上側Ｃｈ４に分割されてよい。これらの論理チャネルは、独立してスケジューリングされてよい。例えば、各論理チャネルは、その論理チャネルに関する端末から受信されたチャネル品質フィードバックに基づいてスケジューリングされてよい。
【００４１】
一般に、任意の数のＨＲＰＤキャリアが所与のスペクトル割り当てで送信されてよい。各ＨＲＰＤキャリア毎に、各トラヒックセグメントがＣＤＭデータまたはＯＦＤＭデータを搬送し得る。ＯＦＤＭデータは、さらに、ＨＲＰＤキャリアによって使用されない残りの使用可能なスペクトルで送信されてよい。
【００４２】
図７は、５ＭＨｚスペクトル割り当てでの単一ＨＲＰＤキャリアに対してＯＦＤＭおよびＣＤＭをサポートするスロット構造７００を示す。図７に示される例では、単一ＨＲＰＤキャリアが５ＭＨｚスペクトル割り当ての一方の端の近くに配置されている。図２〜６で上述されたように、ＨＲＰＤキャリアに関するパイロットおよびＭＡＣセグメントが生成され、半スロットの中央で送信される。ＨＲＰＤキャリアの各トラヒックセグメントは、ＣＤＭデータまたはＯＦＤＭデータを搬送し得る。
【００４３】
ＯＦＤＭスペクトルは、ＨＲＰＤキャリアを除く、スペクトル割り当ての全ての使用可能なスペクトルを備えるように規定され得る。図７に示される例では、ＯＦＤＭスペクトルは、ＨＲＰＤキャリアの両側の使用可能なスペクトルを備える。通常および長いＯＦＤＭシンボルが拡張され、ＯＦＤＭスペクトルのデータを搬送するために使用されてよい。トラヒックデータ、シグナリングおよびパイロットは、任意の方法で、例えば、単にＯＦＤＭまたはＯＦＤＭＡを用いるシステムで一般的に使用される任意の技術を使用して、ＯＦＤＭスペクトルで送信されてよい。例えば、パイロットおよびシグナリングは、任意の副搬送波およびシンボル周期上を任意の方法で送信されてよい。さらに、利用可能な副搬送波およびシンボル周期は、任意の数の端末に割り当てられてよく、データがスケジューリングされた端末に任意のやり方で送信されてよい。
【００４４】
図７に示される設計では、２つの論理チャネルＣｈ１およびＣｈ２が規定されている。論理チャネルＣｈ１は、ＨＲＰＤキャリア１上を送信されるトラヒックセグメント１ａおよび１ｂを備え、論理チャネルＣｈ２は、ＯＦＤＭスペクトル上を送信されるトラヒックセグメント２ａ〜２ｆを備えている。論理チャネルＣｈ１は、各スロット、各半スロット、その他のＣＤＭとＯＦＤＭとを切り替えてよい。論理チャネルＣｈ２は、いずれのＨＲＰＤキャリアにも結合されておらず、ＯＦＤＭデータだけを搬送するための純粋なＯＦＤＭモードで動作され得る。トラヒックデータ、シグナリング、および／またはパイロットは、論理チャネルＣｈ２上を任意のやり方でＯＦＤＭで送信され得る。
【００４５】
図８は、５ＭＨｚスペクトル割り当てでのＯＦＤＭをサポートするＨＲＰＤスロット構造８００を示す。図８に示される例では、スペクトル割り当ては、ＨＲＰＤキャリアを備えない。通常および長いＯＦＤＭシンボルが、帯域の端にあるガード副帯域を除く、全部の利用可能なスペクトルでデータを送信するために使用され得る。論理チャネルＣｈ１は、全部の使用可能なスペクトルを網羅するように規定され得る。論理チャネルＣｈ１は、あたかもそれがＯＦＤＭ／ＯＦＤＭＡシステムに対するものであるかのように動作してよく、フラッシュＯＦＤＭ（登録商標）、ＩＥＥＥ８０２．２０、ＬＴＥ、その他等の他のＯＦＤＭ／ＯＦＤＭＡ技術からの設計要素を組み込んでよい。論理チャネルＣｈ１の時間周波数リソースは、トラヒックデータに関して使用されるトラヒックリソース、シグナリングに関して使用されるシグナリングリソース、パイロットに関するパイロットリソース、その他に分割され得る。シグナリングリソースは、端末をスケジューリングし、このスケジューリングされた端末にトラヒックリソースを割り当てるために使用され得る。さらに、シグナリングリソースは、混成自動再送信（Ｈ−ＡＲＱ）フィードバック、出力制御、その他を容易にするために使用され得る。フラッシュＯＦＭＤ（登録商標）、ＩＥＥＥ８０２．２０、ＬＴＥおよび／または他のＯＦＤＭ／ＯＦＤＭＡシステムの種々の構造的要素およぶ物理層特性が論理チャネルＣｈ１に対して用いられ得る。
【００４６】
図９は、図１のアクセスポイントおよび端末のうちの１つである、アクセスポイント１１０および端末１２０の一設計のブロック図を示す。単純化のために、順方向リンク上の送信に関する処理装置だけが図９に示されている。
【００４７】
アクセスポイント１１０で、ＴＸ  ＣＤＭ／ＯＦＤＭプロセッサ９２０が、以下で説明されるように、トラヒックデータおよびシグナリングを受信および処理し、出力サンプルを提供する。送信機（ＴＭＴＲ）９２２が出力サンプルを処理（例えば、アナログに変換、増幅、フィルタリング、および周波数を高い周波数に変換）し、順方向リンク信号を生成し、順方向リンク信号がアンテナ９２４を介して送信される。端末１２０で、アンテナ９５２がアクセスポイント１１０からの順方向リンク信号を受信し、受信された信号を受信機（ＲＣＶＲ）９５４に提供する。受信機９５４は、受信された信号を処理（例えば、フィルタリング、増幅、周波数を低い周波数に変換、およびディジタル化）し、受信サンプルを提供する。ＲＸ  ＣＤＭ／ＯＦＤＭプロセッサ９６０は、以下で説明されるように、ＴＸ  ＣＤＭ／ＯＦＤＭ９２０による処理と相補的なやり方で受信サンプルを処理し、端末１２０に関して受信されたシグナリングおよび復号されたデータを提供する。
【００４８】
コントローラ９３０および９７０は、アクセスポイント１１０および端末１２０での動作を各々、指示する。メモリ９３２および９７２は、各々、アクセスポイント１１０および端末１２０に関するプログラムコードおよびデータを記憶する。
【００４９】
図１０は、図１のＴＸ  ＣＤＭ／ＯＦＤＭプロセッサ９２０の一設計である、ＴＸ  ＣＤＭ／ＯＦＤＭプロセッサ９２０ａのブロック図を示す。プロセッサ９２０ａは、（i）ＣＤＭデータおよびオーバーヘッドデータを搬送するＣＤＭ波形を生成するＣＤＭプロセッサ１０１０と、（ii）ＯＦＤＭデータを搬送するＯＦＤＭ波形を生成するＯＦＤＭプロセッサ１０５０とを備えている。
【００５０】
ＣＤＭプロセッサ１０１０内で、符号器／インタリーバ１０１２が、ＣＤＭを使用して送信されるべきトラヒックデータを受信し、コーディング方式に基づいて該トラヒックデータを符号化し、符号化されたデータをインタリーブ（または並べ替え）する。シンボルマッパ１０１４が、変調方式に基づいて、インタリーブされたデータをデータシンボルにマッピングする。デマルチプレクサ（Ｄｅｍｕｘ）１０１６がデータシンボルを多数（例えば、１６）のストリームに逆多重化する。ウォルシュカバーユニット１０１８が、異なる１６チップのウォルシュコードを用いて各データシンボルストリームをカバーまたはチャネル化して、対応するデータチップストリームを取得する。加算器１０２０が、多数のウォルシュコードに対する多数（例えば、１６）のデータチップストリームを加算し、チップ速度でのＣＤＭデータを提供する。ＴＸ  オーバーヘッドプロセッサ１０２２が、ＭＡＣセグメントに関するシグナリングとパイロットセグメントに関するパイロットデータを受信し、オーバーヘッドセグメントに関する、チップ速度でのオーバーヘッドデータを生成する。ＴＤＭマルチプレクサ（Ｍｕｘ）１０２４が、加算器１０２０からのＣＤＭデータとプロセッサ１０２２からのオーバーヘッドデータを受信し、ＣＤＭデータを搬送するトラヒックセグメントにＣＤＭデータを提供し、オーバーヘッドセグメントにオーバーヘッドデータを提供する。乗算器１０２６が、アクセスポイントに関する疑似雑音（ＰＮ）を用いてＴＤＭマルチプレクサ１０２４の出力を乗算し、チップ速度での出力チップを提供する。パルス整形フィルタ１０２８が、出力チップをフィルタリングし、１つのＨＲＰＤキャリアに関するＣＤＭ波形を提供する。多数のＨＲＰＤキャリアに関する多数のＣＤＭ波形は、ＣＤＭプロセッサ１０１０の多数のインスタンスを用いて生成され得る。これらの多数のＣＤＭ波形は、ディジタル領域またはアナログ領域の適切な周波数へと高い周波数に変換される。
【００５１】
ＯＦＤＭプロセッサ１０５０内で、符号器／インタリーバ１０５２が、ＯＦＤＭを使用して送信されるべきトラヒックデータを受信し、コーディング方式に基づいて該トラヒックデータを符号化し、符号化されたデータをインタリーブする。シンボルマッパ１０５４が、インタリーブされたデータをデータシンボルにマッピングする。シンボルから副搬送波へのマッパ１０５６が、データシンボルをＯＦＤＭに関して使用される副搬送波にマッピングする。ゼロ挿入ユニット１０５８が、ＯＦＤＭに関して使用されない副搬送波、例えば、ＣＤＭトラヒックセグメントおよびオーバーヘッドセグメント、ヌル副搬送波、ならびにガード副搬送波の上に（ゼロの信号値を有する）ゼロシンボルを挿入する。逆離散フーリエ変換（ＩＤＦＴ）ユニット１０６０が、各ＯＦＤＭシンボル周期のＫ個の全副搬送波に関するデータシンボルおよびゼロシンボルにＫ−点ＩＤＦＴを実行し、Ｋ個の時間領域サンプルを備える有用部分を提供する。Ｋは、ＯＦＤＭシンボル数秘術に依存し、通常および長いＯＦＤＭシンボルに対して表１および２で与えられている。周期的プリフィックス挿入ユニット１０６２が、有用部分の最後のＣ個のサンプルをコピーし、これらＣ個のサンプルを有用部分の前に付加して、サンプルレートでＫ＋Ｃ個のサンプルを備えるＯＦＤＭシンボルを形成する。サンプルレートは、チップ速度のｎ倍であり得て、ここで、ｎは１、２、３、４、他と等しくてよい。繰り返される部分は、周期的プリフィックスと呼ばれ、周波数選択性フェーディングによって生じるＩＳＩに対処するために使用される。窓化／パルス整形フィルタ１０２８が、ユニット１０６２からのサンプルを窓化およびフィルタリングし、ＯＦＤＭ波形を提供する。加算器１０７０がＣＤＭプロセッサ１０１０からのＣＤＭ波形とＯＦＤＭプロセッサ１０５０からのＯＦＤＭ波形とを加算し、出力波形を提供する。
【００５２】
図１１は、図１のＴＸ  ＣＤＭ／ＯＦＤＭプロセッサ９２０の別の設計である、ＴＸ  ＣＤＭ／ＯＦＤＭプロセッサ９２０ｂのブロック図を示す。プロセッサ９２０ｂは、ＣＤＭに関して使用される副搬送波にＣＤＭデータをマッピングし、ＯＦＤＭに関して使用される副搬送波にＯＦＤＭデータをマッピングする。プロセッサ９２０ｂは、次に、マッピングされたＣＤＭデータおよびＯＦＤＭデータに基づいて出力波形を生成する。
【００５３】
プロセッサ９２０ｂ内で、ＴＸ  ＣＤＭプロセッサ１１１０がＣＤＭを使用して送信されるべきトラヒックデータ、シグナリング、およびパイロットを受信および処理し、出力チップを提供する。プロセッサ１１１０は、図１０のユニット１０１２〜１０２６を備え得る。ＤＦＴユニット１１１２は、各ＯＦＤＭシンボル周期で出力チップにＬ−点ＤＦＴを実行し、Ｌ個の副搬送波に関するＬ個の周波数領域シンボルを提供する。Ｌは、ＨＲＰＤキャリアに対応する副搬送波の数であり、ＯＦＤＭシンボル数秘術に依存し得る。
【００５４】
符号器／インタリーバ１１２０およびシンボルマッパ１１２２が、ＯＦＤＭを使用して送信されるべきトラヒックデータを処理し、データシンボルを提供する。シンボルから副搬送波マッパ１１３０が、ＤＦＴユニット１１１２からの周波数領域シンボルをＣＤＭに関して使用される副搬送波にマッピングし、さらに、シンボルマッパ１１２２からのデータシンボルをＯＦＤＭに関して使用される副搬送波にマッピングする。ゼロ挿入ユニット１１３２が、ＣＤＭまたはＯＦＤＭに関して使用されない副搬送波、例えば、ヌルおよびガード副搬送波にゼロを挿入する。ＩＤＦＴユニット１１３４が、各ＯＦＤＭシンボル周期に関するＫ個のシンボルにＫ−点ＩＤＦＴを実行し、Ｋ個の時間領域サンプルを備える有用部分を提供する。周期的プリフィックス挿入ユニット１１３６が、有用部分に周期的プリフィックスを挿入し、サンプルレートでＫ＋Ｃ個のサンプルを備えるＯＦＤＭシンボルを提供する。窓化／パルス整形フィルタ１１３８が、ユニット１１３６からのサンプルを窓化およびフィルタリングし、出力波形を提供する。フィルタ１１３６は、図１０のフィルタ１０２８より鋭いスペクトルロールオフを提供し得て、それはスペクトル割り当てのより良い利用を可能にし得る。
【００５５】
図１２は、図９のＲＸ  ＣＤＭ／ＯＦＤＭプロセッサ９６０の一設計であるＲＸ  ＣＤＭ／ＯＦＤＭプロセッサ９６０ａのブロック図を示す。プロセッサ９６０ａは、図１０のＴＸ  ＣＤＭ／ＯＦＤＭプロセッサ９２０ａによって生成される出力波形を受信するために使用され得る。
【００５６】
ＣＤＭデータを回復するために、フィルタ１２１２は、受信機９５４から受信されたサンプルを取得し、受信されたサンプルをフィルタリングして、興味のあるＨＲＰＤキャリアの外側のスペクトル構成要素を除去し、サンプルレートからチップ速度への変換を実行し、フィルタリングされたチップを提供する。乗算器１２１４が、アクセスポイントによって使用されるＰＮシーケンスを用いて、フィルタリングされたチップを乗算し、入力チップを提供する。ＴＤＭデマルチプレクサ１２１６が、パイロットセグメントに関する入力チップをチャネル推定器１２１８に提供し、ＭＡＣセグメントに関する入力チップをＲＸオーバーヘッドプロセッサ１２２０に提供し、ＣＤＭデータを搬送するトラヒックセグメントに関する入力チップをウォルシュデカバーユニット１２２２に提供する。チャネル推定器１２１８が、受信されたパイロットに基づいてチャネル推定を導出する。ユニット１２２２が、ＣＤＭデータに関して使用される各ウォルシュコードに関して入力サンプルをデカバーまたはデチャネル化し、受信されたシンボルを提供する。マルチプレクサ１２２４が、全てのウォルシュコードに関して受信されたシンボルを多重化する。データ復調器（Ｄｅｍｏｄ）１２２６が、チャネル推定を用いて受信されたシンボルにコヒーレント検出を実行し、ＣＤＭを用いて送信されるデータシンボルの推定であるデータシンボル推定を提供する。デインタリーバ／復号器１２２８が、データシンボル推定をデインタリーブおよび復号し、ＣＤＭに関する復号されたデータを提供する。ＲＸオーバーヘッドプロセッサ１２２０がＭＡＣセグメントに関する入力チップを処理し、受信されたシグナリングを提供する。
【００５７】
ＯＦＤＭデータを回復するために、周期的プリフィックス除去ユニット１２５２が、各ＯＦＤＭシンボル周期でＫ＋Ｃ個の受信されたサンプルを取得し、周期的プリフィックスを除去し、有用部分に関するＫ個の受信されたサンプルを提供する。ＤＦＴユニット１２５４が、Ｋ個の受信されたサンプルにＫ−点ＤＦＴを実行し、Ｋ個の全副搬送波に関するＫ個の受信されたシンボルを提供する。シンボルから副搬送波デマッパ１２５６が、Ｋ個の全副搬送波に関する受信されたシンボルを取得し、ＯＦＤＭに関して使用される副搬送波に関する受信されたデータシンボルをデータ復調器１２５８に提供し、受信されたパイロットシンボルをチャネル推定器１２１８に提供し得る。データ復調器１２５８が、チャネル推定器１２１８からのチャネル推定を用いて受信されたデータシンボルにデータ検出（例えば、整合フィルタリング、均等化、その他）を実行し、ＯＦＤＭを用いて送信されるデータシンボルの推定であるデータシンボル推定を提供する。デインタリーバ／復号器１２６０が、データシンボル推定をデインタリーブおよび復号し、ＯＦＤＭに関する復号されたデータを提供する。
【００５８】
図１３は、図９のＲＸ  ＣＤＭ／ＯＦＤＭプロセッサ９６０の別の設計であるＲＸ  ＣＤＭ／ＯＦＤＭプロセッサ９６０ｂのブロック図を示す。プロセッサ９６０ｂは、図１１のＴＸ  ＣＤＭ／ＯＦＤＭプロセッサ９２０ｂによって生成される出力波形を受信するために使用され得る。プロセッサ９６０ｂ内で、周期的プリフィックス除去ユニット１３１２が、各ＯＦＤＭシンボル周期でＫ＋Ｃ個の受信されたサンプルを取得し、周期的プリフィックスを除去し、有用部分に関するＫ個の受信されたサンプルを提供する。ＤＦＴユニット１３１４が、Ｋ個の受信されたサンプルにＫ−点ＤＦＴを実行し、Ｋ個の全副搬送波に関するＫ個の受信されたシンボルを提供する。シンボルから副搬送波デマッパ１３１６が、Ｋ個の全副搬送波に関する受信されたシンボルを取得し、ＣＤＭに関して使用される副搬送波に関する受信されたシンボルをＩＤＦＴユニット１３２０に提供し、ＯＦＤＭに関して使用される副搬送波に関する受信されたシンボルをデータ復調器１３３０に提供する。
【００５９】
ＣＤＭデータを回復するために、ＩＤＦＴユニット１３２０が、ＯＦＤＭシンボル周期で、ＣＤＭに関して使用される副搬送波に関するＬ個の受信されたシンボルにＬ−点ＩＤＦＴを実行し、Ｌ個の時間領域サンプルを提供する。ＲＸ  ＣＤＭプロセッサ１３２２が、時間領域サンプルを処理し、ＣＤＭに関する復号されたデータおよび受信されたシグナリングを提供する。プロセッサ１３２２は、図１２のユニット１２１４〜１２２８を含み得る。ＯＦＤＭデータを回復するために、データ復調器１３３０が、チャネル推定を用いてデマッパ１３１６からの受信されたシンボルにデータ検出を実行し、データシンボル推定を提供する。デインタリーバ／復号器１３３２が、データシンボル推定をデインタリーブおよび復号し、ＯＦＤＭに関する復号されたデータを提供する。
【００６０】
明確化のために、技術の種々の態様が、ＨＲＰＤシステムでＣＤＭおよびＯＦＤＭを用いた順方向リンク送信に関して具体的に説明されている。この技術は、例えば、ＣＤＭとＳＣ−ＦＤＭ、ＣＤＭとＴＤＭとＯＦＤＭ、ＴＤＭとＯＦＤＭ、その他等の別の多重化方式の組み合わせに関して同様に使用されてよい。この技術は、別の無線通信システムに関して、ならびに順方向および逆方向リンクの両方に関して同様に使用されてよい。
【００６１】
無線システムで、単一送信毎に信頼できるデータパケット転送を保証することは非効率であり得る。この非効率は、基礎を成すチャネル状況が送信毎に急激に変化するシステムで特に顕著である。例えば、ＯＦＤＭシステムでは、フレーム／パケットの間で受信された信号対雑音比（ＳＮＲ）が広範な変動であり得、従って、各パケット送信に関する小さいフレーム誤り率（ＦＥＲ）を保証することを困難および非効率にしている。そのような困難および非効率は、ＴＤＭＡ、ＦＤＭＡ、およびＣＤＭ、その他を、それらに限定されないが、備える直交多重アクセス技術を用いる別の通信システムにも適用される。
【００６２】
そのような通信システムでは、そのような非効率の低減を支援するために自動再送信／繰返し要求（ＡＲＱ）手順等のパケット再送信機構が使用され得る。しかしながら、ＡＲＱ手順は、各パケットの通過に関して平均してより長くなり得るため、より高いパケット待ち時間を生じさせ得る。一般に、大きいパケット待ち時間はデータトラヒックに関してさほど問題になり得ないが、音声トラヒックまたは情報の送信に低い待ち時間を必要とする他の種類のアプリケーションに関して不利になり得る。さらに、システムのユーザの人数が増加し続けるので、パケット送信待ち時間が増大すると予測される。従って、システム容量を改善するために（例えば、システム処理能力またはシステムを同時に使用するユーザの人数、その他に基づいて）、送信待ち時間が低くまたは小さく保持されるべきである。ＡＲＱは、通常、端末が首尾よくパケットを受信したか否かを示すために肯定応答／否定応答信号（ＡＣＫ／ＮＡＣＫ）を備えている。限定ではない例として、転送されたデータのチェックサムを含むハッシュ関数等の照合アルゴリズムを使用して、端末が入力パケットを評価し得る。１つのそのようなハッシュ関数は周期的冗長検査（ＣＲＣ）であり、これはパケットが誤りビットなしで正しく受信されたことを決定するために使用され得る。ＣＲＣが首尾よく評価する場合、パケットの全てのビットは正しく、端末は、端末がパケット再送を必要としないことを示すＡＣＫを発行し得る。ＣＲＣが不正確と評価する場合、パケットの全てのビットが正しくない可能性があり、端末は、端末がパケット再送を必要とすることを示すＮＡＣＫを発行し得る。
【００６３】
本発明の実施形態は、従来の順方向リンクで使用されるフルスロットでなく半スロットを使用した順方向リンクでのパケット送信を用いる。半スロット送信は、パケットサイズでのより小さい粒度を可能にし、結果として、より小さいパケットの順調な送信の可能性が高まる。待ち時間は同じであるが、より小さい粒度は、各サブパケットに対するより小さいデータサイズと、それが所与のサブパケットを何ら再送信する必要なしに正しく送信される可能性がより高まることとを意味する。半スロットは、パケットサイズおよび半スロットのペイロードサイズに応じて、パケットまたはサブパケット（即ち、パケットの一部）を送信し得る。本明細書で使用される「パケット」は、一般に、スロットのペイロードまたは半スロットのペイロードを示す。当業者は、これらのスロットで定義されるパケットが従来のデータパケットまたは従来のデータパケットのサブパケットを備え得ることを理解するであろう。
【００６４】
図１４Ａは、従来のフルスロットパケットプロトコルに関するパケット送信を示す。図１４Ｂは、本発明の実施形態による、半スロットパケットプロトコルを使用したパケット送信を示す。図１４Ａで、各パケット（またはサブパケット）がスロットを占有し、送信チャネルが４つのインタレースで構成され、インタレース内に同じまたは異なる端末行きの４つの異なるデータパケットのストリームが存在し得ることを示している。
【００６５】
一度、パケットがアクセスポイントから端末に送信されると、その端末がＡＣＫ／ＮＡＣＫ情報を備えるＡＲＱおよびで応答を開始するのに２つのスロットをとり得る。ＡＲＱは、図１４Ａに示されるように、継続時間の半スロットであってよく、逆方向リンクで返され得る。従って、アクセスポイントがＮＡＣＫを受信する場合、それがパケットを再送する最も早い機会は、元のパケットが送信されてから４つのパケット後である。結果として、４つのインタレースは、ＡＣＫ／ＮＡＣＫ情報に基づいて、何らかの所与のデータストリームが新規のパケットを送信可能であるかまたは前のパケットを再送するかの判定を可能にする。
【００６６】
図１４Ａに示されるように、アクセスポイントは第１のインタレースのパケット１、パケット２、パケット３、およびパケット４を送信する。パケット４の時間の間、パケット１を受信および復号した端末が、パケット１に関するＡＣＫ／ＮＡＣＫ情報を備えるＡＲＱ１で応答する。従って、ＡＣＫ／ＮＡＣＫ情報を用いて、アクセスポイントは、ＡＣＫが受信された場合、第１のデータストリームに関してパケット１’を新規のパケットとして送信してよいし、またはＮＡＣＫが受信された場合、第１のデータストリームに関して前に送信したパケットを再送してよい。同様に、パケット１’の時間の間、第２のデータストリームからのパケット２に関するＡＲＱ２が送信され、アクセスポイントは新規のパケットで応答してもよいし、またはパケット２’の時間でパケットを再送してもよい。
【００６７】
図１４Ｂは、本発明の実施形態による、半スロットパケットプロトコルの使用に関するパケット送信を示す。図１４Ｂで、各パケット（またはサブパケット）が半スロットを占有し、送信チャネルは、限定でない例として、８つのインタレースで構成され得て、インタレース内に同じまたは異なる端末行きのデータパケットの８つの異なるストリームが存在し得ることを示している。従って、本発明の実施形態は、所与の４スロットブロック内により多くのデータストリームがインタレースされることを可能にする。さらに、半スロット粒度は、各サブパケットに対するより小さいデータサイズと、それが所与のパケットを再送信する必要なしに正しく送信される可能性がより高まることとを意味する。
【００６８】
図１４Ｂに示されるように、アクセスポイントが第１のインタレースでパケット１〜８を送信する。図１４Ａの従来のストリームと同じ待ち時間であるパケット７の時間の間、パケット１を受信および復号した端末が、パケット１に関するＡＣＫ／ＮＡＣＫ情報を備えるＡＲＱ１で応答する。従って、ＡＣＫ／ＮＡＣＫ情報を用いて、アクセスポイントは、ＡＣＫが受信された場合、第１のデータストリームに関してパケット１’を新規のパケットとして送信してもよいし、またはＮＡＣＫが受信された場合、第１のデータストリームに関して前に送信したパケットを再送してよい。同様に、パケット８の時間の間、第２のデータストリームからのパケット２に関するＡＲＱ２が送信され、アクセスポイントは新規のパケットで応答してもよいし、またはパケット２’の時間でパケットを再送してもよい。同様の機構が、ＡＲＱ３およびＡＲＱ４に関して示される各半スロットパケットに対して使用されてよい。
【００６９】
さらに、単一の図面で示されていないが、フルスロットの４つのインタレースを備える図１４Ａの構成が、図１４Ｂに示される半スロットの８つのインタレースと組み合わされてもよい。限定しない例として、図１４Ｂで、半スロットパケット３および４が単一のフルスロットパケットに組み合わされてよい。結果として、そのフルスロットパケットに関するＡＲＱがＡＲＱ３の時間で生じ、ＡＲＱ４が存在しない。代替的に、任意の所与の４スロットセグメントが、フルスロットの４つのインタレースまたは半スロットの８つのインタレースを備えてよい。別の言葉では、限定しない例として、フルスロットの４つのインタレースは、その後に半スロットの８つのインタレースが続いてよく、この８つのインタレースの後にフルスロットの４つのインタレースが続いてよい。
【００７０】
図１５は、本発明の実施形態で使用され得る、ペイロードサイズおよび再試行の数に関する種々の変調オーダーを示す。アクセスポイントは、パケットを再送する必要がある毎に、パケットを首尾よく送信する可能性をより高めるために変調を変更し得る。さらに、端末は、順方向リンクチャネルの品質を測定し、そのような情報をアクセスポイントに送信し得る。アクセスポイントは、受け入れ可能な送信形式、次のパケット送信の速度を予測するために、受信されたチャネル状況を使用し得る。限定しない例として、端末は、最良のサービスを提供するセクタのチャネル品質測定を基地局に搬送するために、チャネル品質フィードバックチャネル（ＣＱＩＣＨ）を使用し得る。チャネル品質は、受信された順方向リンク信号に基づいてキャリア干渉（Ｃ／Ｉ）比に関して測定され得る。Ｃ／Ｉ値は、チャネル品質インジケータ（ＣＱＩ）シンボル上にマッピングされ得る。
【００７１】
さらに、端末がデータ転送速度制御（ＤＲＣ）情報をアクセスポイントに提供し得る。ＤＲＣ情報は、例えば、前の順方向リンク送信からのＣ／Ｉ測定に基づいていてよい。アクセスポイントは、ＤＲＣ情報の受信の後のパケットにどの種類の変調を使用するかを決定するためにＤＲＣ情報を使用し得る。
【００７２】
スペクトル効率は、変調方式によって決定される。種々の変調方式がデータ送信に関して使用され得る。各変調方式は、Ｍ個の信号点を備える信号配列に関連し、ここでＭ＞１である。各信号点は、複素数値によって規定されてＢビットの２進値によって特定され、ここでＢ＞＝１および２Ｂ＝Ｍである。シンボルマッピングに関し、送信されるべきコードビットは第１にＢ個のコードビットのセットにグループ化される。Ｂ個のコードビットの各々は、特定の信号点にマッピングされるＢビットの２進値を形成し、それは、次に、Ｂ個のコードビットのそのグループに関する変調シンボルとして送信される。各変調シンボルは、従って、Ｂコードビットに関する情報を搬送する。本発明の実施形態で使用され得るいくつかの限定でない例示的な変調プロセスは、４位相偏移変調方式（ＱＰＳＫ）、８位相偏移変調方式（８−ＰＳＫ）、および１６直交振幅変調（１６−ＱＡＭ）および６４ＱＡＭである。
【００７３】
従って、図１５からの例のように、４０９６ビットのペイロードサイズに対し、１回目にパケットが送信される際にそれは変調オーダー６（即ち、６４ＱＡＭ）で送信され得る。パケットが再送される必要がある場合、２回目にパケットが送信される際にそれは再度、変調オーダー６（即ち、６４ＱＡＭ）で送信され得る。しかしながら、パケットが２度目に再送される（即ち、３度目の送信）必要がある場合、アクセスポイントは、変調を変調オーダー４（即ち、１６ＱＡＭ）に修正し得る。当業者は、より小さいペイロードサイズに関し、より小さい変調オーダーが使用され得て、それでも半スロットパケットサイズ内に収まり得ることを理解するであろう。
【００７４】
図１６は、ペイロードサイズおよび再試行の数に関して達成され得る種々のデータ転送速度を示す。図１６上のデータ転送速度は、ペイロードサイズ、送信数、および図１５からの変調オーダーに対応する。
【００７５】
図１７は、アクセスポイントおよび端末のブロック図を示す。このブロック図は、逆方向リンクの送信および受信で使用される動作ブロックがさらに示されていること以外は、図９のブロック図と同様である。従って、図９に関して上述された順方向リンクの機能的説明が図１７に同様に適用される。
【００７６】
逆方向リンクに関し、端末で、コントローラ９７０がＲＸ  ＣＤＭ／ＯＦＤＭプロセッサ９６０からのデータを使用し、前に説明されたように半スロットからのパケットが首尾よく受信されたか否かを判定する。次に、コントローラ９７０およびＴＸデータプロセッサ９８０がＡＲＱを集め、アンテナ９５２を介してアクセスポイントに送信するためにそれを送信機（ＴＭＴＲ）９８２に送信する。アクセスポイント側では、受信機（ＲＣＶＲ）９４２がアンテナ９２４を介して逆方向リンク情報を受信する。ＲＸデータプロセッサ９４０およびコントローラ９３０は、ＡＣＫ／ＮＡＣＫ情報等の情報、ＣＱＩ等の順方向リンク品質情報、およびＤＲＣ等のデータ転送速度制御情報を回収するためにＡＲＱを復号する。
【００７７】
ＤＲＣ、ＣＱＩおよびＡＣＫ／ＮＡＣＫ情報の組み合わせを使用することによって、コントローラは、そのチャンネルに関する次のパケットが異なる変調方式で送信されるべきか否かを決定し得る。
【００７８】
図１８は、半スロットパケットを送信および受信するためのプロセスを示す。左側のプロセス要素は、アクセスポイントによって実行され得るアクセスポイントプロセス１７５０であり、右側のプロセス要素は、端末によって実行され得る端末プロセス１７００である。例示されているプロセスは、所与のデータストリームに関する所与のパケットの送信および可能性のある再送信に関するものである。当業者は、その他多数のプロセスが、多数のデータストリームの送信および監視、ならびにデータストリームの多数のパケットの送信および監視に関与することを理解するであろう。
【００７９】
パケット送信プロセスは、端末からアクセスポイントにＤＲＣ情報を送信することでプロセス１７０２で開始し得る。代替的に、アクセスポイントは、ＤＲＣ情報なしに処理を開始してよい。これは、データストリーム内の後の複数のパケットに関して特に言えることである。どちらの開始点からも、プロセス１７５２は、パケットに関するデータ転送速度および変調方式を決定する。この決定は、ペイロードサイズの場合と同様、ＤＲＣ情報が存在する場合、それによって影響を及ぼされ得る。次に、プロセス１７５４は、半スロットのパケットを端末に送信する。勿論、送信する準備で任意の所与のスロット内の別のトラヒックセグメントまたは半スロットを満たすために別のプロセスが生じ得る。
【００８０】
プロセス１７０４は、このパケットに関して受信されたスロット、およびより詳細には対象である半スロットを、端末が復調および復号することを示す。プロセス１７０６はパケット完全性を判定し、これには、データが首尾よく受信されたか否かを判定するためにＣＲＣを実行すること、ＣＱＩを開発すためにチャネル品質を解析すること、またはそれらの組み合わせを備え得る。判定ブロック１７０８は、ビット誤りが受信された場合、再送が必要とされ得ることを示す。再送が必要である場合、プロセス１７１０はＮＡＣＫが送信されるべきであることを規定する。再送が不要である場合、プロセス１７１２はＡＣＫが送信されるべきであることを規定する。プロセス１７１４は、少なくともＡＣＫ／ＮＡＣＫ情報を備え、ＡＲＱが送信されることを示す。ＡＲＱは、例えば、ＣＱＩ情報およびＤＲＣ情報等の別の情報をさらに備えていてよい。
【００８１】
判定ブロック１７５６は、アクセスポイントがＡＲＱの一部としてＡＣＫまたはＮＡＣＫを受信したか否かを判定することを示す。ＡＣＫが受信された場合、現在のパケットを再送する必要がないため、プロセスを終了する。データストリーム内の後の複数のパケットについては、プロセスは、アクセスポイントプロセス１７５０または端末プロセス１７００のいずれかの開始プロセスに入って繰り返される。
【００８２】
ＮＡＣＫが受信された場合、プロセスが１７５２にループして、パケットに関するデータ転送速度を決定する。元にループすると、データ転送速度の決定は、再試行の数（図１８には図示せず）、ペイロードサイズ、存在する場合にはＤＲＣ情報、存在する場合にはＣＱＩ情報の組み合わせによって影響を及ぼされ得る。
【００８３】
当業者は、情報および信号は、様々な異なる技術および技法のうちのいずれかを使用して表現され得ることを理解するであろう。上記の説明全体で参照され得る、例えば、データ、指示、命令、情報、信号、ビット、シンボル、およびチップは、電圧、電流、電磁波、磁場もしくは磁性粒子、光場もしくは光粒子、またはそれらの任意の組み合わせで表現されてよい。
【００８４】
当業者は、本明細書の開示に関連して説明される種々の例示的な論理ブロック、モジュール、回路、およびアルゴリズムステップは、電子的なハードウェア、コンピュータソフトウェア、または両方の組み合わせとして実装され得ることをさらに理解するであろう。ハードウェアおよびソフトウェアのこの互換性を明確に示すために、種々の例示的な構成要素、ブロック、モジュール、回路、およびステップは、ほとんどの場合それらの機能性に関して上述されてきた。そのような機能性がハードウェアまたはソフトウェアとして実装されるかは、システム全体に課せられる特定の用途および設計制約に依存する。当業者は、説明される機能性を各特定用途に対して様々なやり方で実装し得るが、そのような実装の決定は、本開示の範疇から逸脱を生じるものとして解釈されるべきではない。
【００８５】
本明細書の開示に関連して説明される種々の例示的な論理ブロック、モジュールおよび回路は、汎用プロセッサ、ディジタル信号プロセッサ（ＤＳＰ）、特定用途向け集積回路（ＡＳＩＣ）、フィールド・プログラマブル・ゲート・アレイ（ＦＰＧＡ）もしくはその他のプログラム可能論理デバイス、ディスクリートゲート（discrete gate）もしくはトランジスタロジック、ディスクリートハードウェア構成要素（discrete hardware components）、または本明細書で説明される機能を実行するために設計されるそれらのあらゆる組み合わせで実装または実行されてよい。汎用プロセッサは、マイクロプロセッサであってよいが、代替的に、プロセッサは、任意の従来のプロセッサ、コントローラ、マイクロコントローラ、または状態機械であってよい。プロセッサは、コンピューティングデバイスの組み合わせ、例えば、ＤＳＰおよびマイクロプロセッサの組み合わせ、多数のマイクロプロセッサ、ＤＳＰコアと併用される１つ以上のマイクロプロセッサ、またはあらゆる他のそのような構成として実装されてもよい。
【００８６】
本明細書の開示に関連して説明される方法またはアルゴリズムのステップは、直接的にハードウェアで、プロセッサにより実行されるソフトウェアモジュールで、またはこの２つの組み合わせで具現化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当技術分野で公知のあらゆる他の形式の記憶媒体に存在してよい。例示的な記憶媒体は、プロセッサが記憶媒体から情報を読み込み、そこに情報を書き込むことが可能であるように、プロセッサに結合されている。代替的に、記憶媒体がプロセッサに一体化されてよい。プロセッサおよび記憶媒体は、ＡＳＩＣに存在してよい。ＡＳＩＣは、ユーザ端末に存在してよい。代替的に、プロセッサおよび記憶媒体が、ユーザ端末の別個の構成要素として存在してよい。さらに、ソフトウェアモジュールは、そこでの記憶および実行のために端末またはアクセスポイントに送信されてよい。
【００８７】
本発明が特定の実施形態を参照して説明されたが、この実施形態は例示的であり、本発明の範疇はこれらの実施形態に限定されないことを理解されたい。上述した実施形態への多数の変更、修正、追加および改善が可能である。これらの変更、修正、追加および改善は、以下の特許請求の範囲内に詳細が示される本発明の範疇の範囲内に入ることが意図されている。
【図面の簡単な説明】
【００８８】
【図１】本発明の高速パケットデータ（ＨＲＰＤ）通信システムを示す図。
【図２】本発明のＣＤＭをサポートする単一キャリアスロット構造を示す図。
【図３Ａ】本発明のＯＦＤＭをサポートする単一キャリアスロット構造を示す図。
【図３Ｂ】本発明のＣＤＭおよびＯＦＤＭをサポートする単一キャリアスロット構造を示す図。
【図４】本発明のＣＤＭをサポートする多数キャリアスロット構造を示す図。
【図５】本発明のＣＤＭおよびＯＦＤＭをサポートする多数キャリアスロット構造を示す図。
【図６】本発明のＣＤＭおよびＯＦＤＭをサポートする別の多数キャリアスロット構造を示す図。
【図７】本発明のＯＦＤＭおよびＣＤＭをサポートするスロット構造を示す図。
【図８】本発明の５ＭＨｚスペクトル割り当てでのＯＦＤＭをサポートするスロット構造を示す図。
【図９】本発明のアクセスポイントおよび端末のブロック図。
【図１０】本発明の送信（ＴＸ）ＣＤＭ／ＯＦＤＭプロセッサの設計を示す図。
【図１１】本発明のＴＸ  ＣＤＭ／ＯＦＤＭプロセッサの別の設計を示す図。
【図１２】本発明の受信（ＲＸ）ＣＤＭ／ＯＦＤＭプロセッサの設計を示す図。
【図１３】本発明のＲＸ  ＣＤＭ／ＯＦＤＭプロセッサの別の設計を示す図。
【図１４Ａ】従来のフルスロットパケットプロトコルに関するパケット送信を示す図。
【図１４Ｂ】本発明の実施形態による半スロットパケットプロトコルの使用に関するパケット送信を示す図。
【図１５】本発明のペイロードサイズおよび再試行の数に関連して種々の変調オーダーを示す図。
【図１６】本発明のペイロードサイズおよび再試行の数に関連して達成され得る種々のデータ転送速度を示す図。
【図１７】本発明のアクセスポイントおよび端末のブロック図。
【図１８】本発明の半スロットパケットを送信および受信するためのプロセスを示す図。